(57)【要約】【課題】高コントラストで、カラー・ブレイク及びフリッカを防止することのできる発光素子表示装置を提供する。【解決手段】階調値に基づく電荷が蓄えられた複数の画素に対して、発光期間制御信号２７１〜２７３を与えることにより、自発光体である発光素子に発光させて表示を行う発光素子表示装置において、一水平期間において、各発光期間制御信号２７１〜２７３のアクティブ期間は２分割され、分割された一方の期間は、水平同期信号の前端に合わせられて開始し、他方の期間は、水平同期信号の後端に合わせられて終了する。また、発光期間制御信号（Ｒ）２７１のアクティブ期間は最も長く、発光期間制御信号（Ｇ）２７２及び発光期間制御信号（Ｂ）２７３のアクティブ期間は、発光期間制御信号（Ｒ）２７１のアクティブ期間の８０％以上であり、発光制御信号２６２のアクティブ期間は、発光期間制御信号（Ｒ）２７１と同期するように制御される。【選択図】図８
2011039453.tif 000002
【特許請求の範囲】
【請求項１】
階調値に基づく電荷が蓄えられた複数の画素に対して、発光期間制御信号の電圧である発光期間制御電圧を印加することにより、自発光体である発光素子に発光させて表示を行う発光素子表示装置において、
前記発光期間制御電圧の印加により、前記階調値に基づく電流を流すスイッチとして作動する発光素子駆動トランジスタと、
前記発光素子と前記発光素子駆動トランジスタとの間に電気的に接続され、前記発光素子の発光を制御する発光制御スイッチトランジスタと、
前記複数の画素に対して、前記発光期間制御電圧を印加し、前記発光素子駆動トランジスタを制御する発光期間制御信号駆動部と、
前記発光制御スイッチトランジスタのゲート線に入力する発光制御信号を発生させるゲート信号駆動部と、を備え、
前記ゲート信号駆動部は、前記発光制御信号を、前記発光期間制御信号に同期して動作するように制御する、ことを特徴とする発光素子表示装置。
【請求項２】
前記画素は、発光色の異なる複数の前記発光素子を有し、
前記発光期間制御電圧の印加期間は、前記発光素子ごとに異なり、
前記ゲート信号駆動部は、前記発光制御信号が、前記発光期間制御電圧の前記印加期間の最も長い発光期間制御信号に同期するように制御する、ことを特徴とする請求項１に記載の発光素子表示装置。
【請求項３】
前記発光期間制御信号駆動部は、前記発光期間制御電圧の印加期間の終端が、水平同期信号の終端と同期するように前記発光期間制御信号の出力の制御を行う、ことを特徴とする請求項１に記載の発光素子表示装置。
【請求項４】
前記発光期間制御信号駆動部は、前記発光期間制御電圧の印加期間の中心が、水平同期信号の期間の中心と一致するように前記発光期間制御信号の出力の制御を行う、ことを特徴とする請求項１に記載の発光素子表示装置。
【請求項５】
前記発光期間制御信号駆動部は、前記発光期間制御信号の前記発光期間制御電圧の印加期間を複数に分割して、印加する、ことを特徴とする請求項１に記載の発光素子表示装置。
【請求項６】
前記発光期間制御信号駆動部は、前記発光期間制御信号の前記発光期間制御電圧の印加期間を２つに分割し、一方の印加期間の始端を、表示装置に表示するための水平同期信号の始端と同期させ、他方の印加期間の終端を、前記水平同期信号の終端と同期させるように制御する、ことを特徴とする請求項５に記載の発光素子表示装置。
【請求項７】
前記画素は、発光色の異なる複数の前記発光素子を有し、
前記発光期間制御電圧の印加期間は、前記発光素子ごとに異なり、
前記発光期間制御信号駆動部は、前記画素内で前記発光素子のうち、前記印加期間の最も長い前記発光素子を除く前記発光素子の前記印加期間を、前記印加期間の最も長い前記印加期間の所定割合以上の前記印加期間になるように制御する、ことを特徴とする請求項１に記載の発光素子表示装置。
【請求項８】
前記所定割合は８０％である、ことを特徴とする請求項７に記載の発光素子表示装置。
【発明の詳細な説明】
【技術分野】
【０００１】
本発明は、発光素子表示装置に関し、より詳しくは、階調値に基づく電荷が蓄えられた複数の画素に対して、発光期間制御信号の電圧である発光期間制御電圧を印加することにより、自発光体である発光素子に発光させて表示を行う発光素子表示装置に関する。
【背景技術】
【０００２】
近年、有機発光ダイオード（Organic Light Emitting Diode）に代表される有機ＥＬ（Organic Electro-luminescent）素子と呼ばれる自発光体を用いた画像表示装置（以下、「有機ＥＬ表示装置」という。）が実用化段階にある。この有機ＥＬ表示装置は、従来の液晶表示装置と比較して、自発光体を用いているため、視認性、応答速度の点で優れているだけでなく、バックライトのような補助照明装置を要しないため、更なる薄型化が可能となっている。
【０００３】
このような有機ＥＬ表示装置の駆動方式として、特許文献１には、階調値に基づく電圧が記憶容量に記憶された複数の画素に対して、発光期間制御電圧を印加することにより、有機ＥＬ素子を発光させる、いわゆるＣＩ（Clamped Inverter）駆動方式と呼ばれる駆動方式の有機ＥＬ表示装置が開示されている。
【先行技術文献】
【特許文献】
【０００４】
【特許文献１】特開２００３−１２２３０１号公報
【特許文献２】特開２００８−３３３５８号公報
【特許文献３】特開２００６−１１９２４２号公報
【発明の概要】
【発明が解決しようとする課題】
【０００５】
この有機ＥＬ表示装置においては、自発光体である有機ＥＬ素子の劣化防止や消費電力低減を図るため、周囲の環境（例えば、屋内における使用等）に応じて、低輝度による表示を行うことが考えられている。しかしながら、低輝度で表示を行う場合には、コントラストが低下してしまうため、表示品質の低下を招きかねない。
【０００６】
本発明は、上述の事情を鑑みてしたものであり、コントラストを高め、表示品質を改善した発光素子表示装置を提供することを目的とする。
【課題を解決するための手段】
【０００７】
本発明の発光素子表示装置は、階調値に基づく電荷が蓄えられた複数の画素に対して、発光期間制御信号の電圧である発光期間制御電圧を印加することにより、自発光体である発光素子に発光させて表示を行う発光素子表示装置において、前記発光期間制御電圧の印加により、前記階調値に基づく電流を流すスイッチとして作動する発光素子駆動トランジスタと、前記発光素子と前記発光素子駆動トランジスタとの間に電気的に接続され、前記発光素子の発光を制御する発光制御スイッチトランジスタと、前記複数の画素に対して、前記発光期間制御電圧を印加し、前記発光素子駆動トランジスタを制御する発光期間制御信号駆動部と、前記発光制御スイッチトランジスタのゲート線に入力する発光制御信号を発生させるゲート信号駆動部と、を備え、前記ゲート信号駆動部は、前記発光制御信号を、前記発光期間制御信号に同期して動作するように制御する、ことを特徴とする発光素子表示装置である。
【０００８】
また、本発明の発光素子表示装置は、前記画素は、発光色の異なる複数の前記発光素子を有し、前記発光期間制御電圧の印加期間は、前記発光素子ごとに異なり、前記ゲート信号駆動部は、前記発光制御信号が、前記発光期間制御電圧の前記印加期間の最も長い発光期間制御信号に同期するように制御する、とすることができる。
【０００９】
また、本発明の発光素子表示装置は、前記発光期間制御信号駆動部は、前記発光期間制御電圧の印加期間の終端が、水平同期信号の終端と同期するように前記発光期間制御信号の出力の制御を行う、とすることができる。
【００１０】
また、本発明の発光素子表示装置は、前記発光期間制御信号駆動部は、前記発光期間制御電圧の印加期間の中心が、水平同期信号の期間の中心と一致するように前記発光期間制御信号の出力の制御を行う、とすることができる。
【００１１】
また、本発明の発光素子表示装置は、前記発光期間制御信号駆動部は、前記発光期間制御信号の前記発光期間制御電圧の印加期間を複数に分割して、印加する、とすることができる。
【００１２】
また、本発明の発光素子表示装置は、前記発光期間制御信号駆動部は、前記発光期間制御信号の前記発光期間制御電圧の印加期間を２つに分割し、一方の印加期間の始端を、表示装置に表示するための水平同期信号の始端と同期させ、他方の印加期間の終端を、前記水平同期信号の終端と同期させるように制御する、とすることができる。
【００１３】
また、本発明の発光素子表示装置は、前記画素は、発光色の異なる複数の前記発光素子を有し、前記発光期間制御電圧の印加期間は、前記発光素子ごとに異なり、前記発光期間制御信号駆動部は、前記画素内で前記発光素子のうち、前記印加期間の最も長い前記発光素子を除く前記発光素子の前記印加期間を、前記印加期間の最も長い前記印加期間の所定割合以上の前記印加期間になるように制御する、とすることができる。
【００１４】
また、本発明の発光素子表示装置は、前記所定割合は８０％である、とすることができる。
【図面の簡単な説明】
【００１５】
【図１】本発明の第１実施形態に係る有機ＥＬ表示装置について示す図である。
【図２】図１のＴＦＴ（Thin Film Transistor）基板を概略的に示す図である。
【図３】図２の画素に入力される信号の信号線を示す図である。
【図４】図３の有機発光回路（Ｒ）を概略的に示す図である。
【図５】有機ＥＬ素子を発光させる際に、制御される信号の変化を示すタイミングチャートである。
【図６】水平同期信号と共に、各信号の変化の様子を示したタイミングチャートである。
【図７】第１実施形態の第１の変形例における、各信号の変化の様子を示したタイミングチャートである。
【図８】第１実施形態の第２の変形例における、各信号の変化の様子を示したタイミングチャートである。
【図９】本発明の第２実施形態に係る有機ＥＬ表示装置のＴＦＴ基板について概略的に示す図である。
【図１０】図９の画素に入力される信号の信号線を示す図である。
【図１１】図１０の有機発光回路（Ｒ）を概略的に示す図である。
【図１２】有機ＥＬ素子を発光させる際に、制御される信号の変化を示すタイミングチャートである。
【図１３】水平同期信号と共に、各信号の変化の様子を示したタイミングチャートである。
【図１４】発光制御信号が３種類である場合における、各信号の変化の様子を示したタイミングチャートである。
【図１５】発光期間制御信号が１種類である場合における、各信号の変化の様子を示したタイミングチャートである。
【発明を実施するための形態】
【００１６】
以下、本発明の第１実施形態乃至第２実施形態について、図面を参照しつつ説明する。なお、図面において、同一又は同等の要素には同一の符号を付し、重複する説明を省略する。
【００１７】
［第１実施形態］
図１は、本発明の第１の実施形態に係る有機ＥＬ表示装置１００について示す図である。この図に示されるように、有機ＥＬ表示装置１００は、ＴＦＴ基板２００及び不図示の封止基板から構成される有機ＥＬパネルを挟むように固定する上フレーム１１０及び下フレーム１２０と、表示する情報を生成する回路素子を備える回路基板１４０と、その回路基板１４０において生成されたＲＧＢの表示情報をＴＦＴ基板２００に伝えるフレキシブル基板１３０と、により構成されている。
【００１８】
図２には、図１のＴＦＴ基板２００が概略的に示されている。ＴＦＴ基板２００は、マトリクス状に配置され、表示の最小単位であり、各々赤（Ｒ）、緑（Ｇ）及び青（Ｂ）の３種の有機発光素子の画素電極を有する画素２８０と、表示する階調値に対応するデータ信号２５０を各画素２８０に出力するデータ信号駆動部２１０と、各画素２８０に複数配置されたＴＦＴスイッチを制御するための、複数の信号から成るゲート信号２６０を出力するゲート駆動部２２０と、画素電極を発光させる矩形波の発光期間制御信号２７０を出力する発光期間制御信号駆動部２３０とを備えている。なお、この図においては、図が煩雑にならないよう画素２８０の数を減らし、簡略化して記載している。
【００１９】
図３には、画素２８０に入力される信号の信号線が示されている。画素２８０は、それぞれ発光する色の有機発光素子を含む回路である有機発光回路（Ｒ）２８１、有機発光回路（Ｇ）２８２及び有機発光回路（Ｂ）２８３を有し、これらの回路には、ゲート駆動部２２０から出力されるゲート信号２６０に含まれる信号選択信号２６１、発光制御信号２６２及びリセット信号２６３が入力されると共に、電源２４０及びデータ信号２５０が入力されている。また、有機発光回路（Ｒ）２８１、有機発光回路（Ｇ）２８２及び有機発光回路（Ｂ）２８３には、それぞれ発光期間制御信号２７０に含まれる発光期間制御信号（Ｒ）２７１、発光期間制御信号（Ｇ）２７２及び発光期間制御信号（Ｂ）２７３が入力されている。
【００２０】
図４には、有機発光回路（Ｒ）２８１が概略的に示されている。この図に示されるように、有機発光回路（Ｒ）２８１は、自発光体である有機ＥＬ素子３１０と、発光期間制御信号（Ｒ）２７１及びデータ信号２５０のいずれを入力信号線２５５に入力するかを選択する第１選択スイッチ３０１及び第２選択スイッチ３０２と、有機ＥＬ素子３１０を発光させるスイッチとして機能し、有機ＥＬ素子３１０のアノード側が、後述する発光制御スイッチ３０８を介して、ドレイン側に接続されている有機ＥＬ駆動ＴＦＴ３０６と、第１選択スイッチ３０１及び第２選択スイッチ３０２と有機ＥＬ駆動ＴＦＴ３０６のゲート側との間に配置された記憶容量３０４と、有機ＥＬ駆動ＴＦＴ３０６のドレイン側とゲート側とを結ぶように接続され、リセット信号２６３により動作するリセットスイッチ３１４と、有機ＥＬ駆動ＴＦＴ３０６のドレイン側にあり、発光制御信号２６２により駆動する発光制御スイッチ３０８と、有機ＥＬ素子３１０のカソード側に接続された共通電極３１２と、を備えている。また、有機ＥＬ駆動ＴＦＴ３０６のソース側は電源線２４０に接続されている。
【００２１】
なお、第１選択スイッチ３０１、有機ＥＬ駆動ＴＦＴ３０６及び発光制御スイッチ３０８はｐ型ＭＯＳにより形成されているため、ゲート信号がＬｏｗでオンとなる。一方、第２選択スイッチ３０２及びリセットスイッチ３１４は、ｎ型ＭＯＳにより形成されているため、ゲート信号がＨｉｇｈでオンとなる。
【００２２】
図５は、図４の有機ＥＬ素子３１０を発光させる際に、制御される信号の変化を示すタイミングチャートである。このタイミングチャートには、図４のデータ信号２５０、発光期間制御信号２７１、信号選択信号２６１、リセット信号２６３及び発光制御信号２６２の各信号の変化の様子が示されている。
【００２３】
この図に示されるように、まず、時刻Ｔ１において、信号選択信号２６１がＬｏｗとなると共に、発光制御信号２６２がＬｏｗ（アクティブ）となる。これにより、図３の第１選択スイッチ３０１はオンとなり、第２選択スイッチ３０２はオフとなるため、入力信号線２５５にはデータ信号２５０が入力される。また、発光制御スイッチ３０８はオンとなる。なお、この時刻Ｔ１の時点では、リセット信号２６３は、Ｌｏｗ（ネガティブ）であり、リセットスイッチ３１４はオフとなっている。
【００２４】
引き続き、時刻Ｔ２において、リセット信号２６３がＨｉｇｈ（アクティブ）となり、リセットスイッチ３１４がオンとなる。これにより有機ＥＬ駆動ＴＦＴ３０６のゲートとドレインは導通し、電源線２４０から、有機ＥＬ駆動ＴＦＴ３０６のＰＮ接合及びゲート線を介して、共通電極３１２へ電流が流れる。
【００２５】
次に、時刻Ｔ３において、発光制御信号２６２がＨｉｇｈ（ネガティブ）となると、発光制御スイッチ３０８がオフとなり、有機ＥＬ駆動ＴＦＴ３０６のゲートの電圧が上がり、有機ＥＬ駆動ＴＦＴ３０６の閾値電圧となった時点で非導通となる。次に、時刻Ｔ４において、リセット信号２６３をＬｏｗ（ネガティブ）とし、リセットスイッチ３１４をオフする。
【００２６】
次に、時刻Ｔ５において、データ信号２５０には、階調値に対応するデータが入力される。これにより、入力信号線２５５に入力される信号も階調値に対応するデータの電圧に引き下げられ、これに伴い、記憶容量３０４を介して、有機ＥＬ駆動ＴＦＴ３０６のゲート電圧も引き下げられることにより、データに対応する分の電流がソース側からゲート側に流れ込み、階調値に対応する電荷量が設定される。
【００２７】
次に、時刻Ｔ６において、信号選択信号２６１がＨｉｇｈに設定されると共に、発光期間制御信号（Ｒ）２７１に発光期間制御電圧が設定され、発光制御信号２６２がＬｏｗ（アクティブ）となる。これにより、第１選択スイッチ３０１はオフとなり、第２選択スイッチ３０２はオンとなるため、入力信号線２５５には発光期間制御信号（Ｒ）２７１が入力されると共に、発光制御スイッチ３０８がオンとなる。この結果、有機ＥＬ駆動ＴＦＴ３０６のゲート側には、入力信号線２５５に印加された発光期間制御信号の電圧に対応する電圧が発生し、ゲート側に電流が流れ込むため、有機ＥＬ駆動ＴＦＴ３０６のソース側からドレイン側に電流が流れ、有機ＥＬ素子３１０が発光する。
【００２８】
ここで、発光期間制御信号（Ｒ）２７１は、Ｌｏｗ（アクティブ）である期間が変更されることにより、全体を暗くしたり、明るくしたりすることができるため、これを利用することにより、階調値に基づく信号であるデータ信号２５０の電圧を変化させることなく、屋外で使用する場合の高輝度モードや、屋内での使用や電力消費を軽減させるための低輝度モードを実現することができる。すなわち、高輝度モードのときには、Ｌｏｗ（アクティブ）である期間を長くし、低輝度モードのときには、Ｌｏｗ（アクティブ）である期間を短くすることにより、各モードを実現することができる。ここで、輝度モードは、利用者の設定によるものに限らず、外部環境、例えば、外光の明るさ、や継続動作時間に応じて自動的に変更されるものとすることができる。
【００２９】
一方、図３に示されるように、発光期間制御信号（Ｒ）２７１、発光期間制御信号（Ｇ）２７２及び発光期間制御信号（Ｂ）２７３は独立であるため、輝度モードに限らず、色バランスを調整するために、各色の発光期間制御電圧や、発光期間制御期間（Ｌｏｗ（アクティブ）である期間）を色ごとに変更することができる。この色バランスは、データ信号２５０に基づいて変更することができる。
【００３０】
図６は、映像信号の一つである水平同期信号と共に、発光期間制御信号（Ｒ）２７１、発光期間制御信号（Ｇ）２７２及び発光期間制御信号（Ｂ）２７３及び発光制御信号２６２の変化の様子を示したタイミングチャートである。ここでは、省電力を考慮した低輝度モードにて動作しているものとする。この場合には、各発光期間制御信号２７１〜２７３のＬｏｗ（アクティブ）の期間の終端は、水平同期信号の終端に合わせられている。また、各発光期間制御信号２７１〜２７３のうち、発光期間制御信号（Ｒ）２７１がＬｏｗ（アクティブ）である期間は最も長く、発光期間制御信号（Ｇ）２７２がＬｏｗ（アクティブ）である期間は、発光期間制御信号（Ｒ）２７１がＬｏｗ（アクティブ）である期間の８０％であり、発光期間制御信号（Ｂ）２７３がＬｏｗ（アクティブ）である期間は、発光期間制御信号（Ｒ）２７１がＬｏｗ（アクティブ）である期間の９５％となっている。
【００３１】
また、発光制御信号２６２がＬｏｗ（アクティブ）である期間は、最も長い期間アクティブとなっている発光期間制御信号（Ｒ）２７１と同期するように制御されている。
【００３２】
したがって、本実施形態においては、発光制御信号２６２を、アクティブである期間が最も長い発光期間制御信号（Ｒ）２７１に同期させているため、特に低輝度モード時の発光しない期間において流れる微小電流による発光を抑えることができ、高コントラスト化を図れると共に、電流消費を抑えることができる。
【００３３】
ここで、本発明の発明者が行った被験者を用いた調査において、各色の発光期間が異なる場合に、すべての色の発光期間が、最も長い発光期間の８０％以上である場合には、色割れ（カラー・ブレイク）やちらつき（フリッカ）の現象を感じないという結果となる知見が得られている。本実施形態において、発光期間制御信号（Ｇ）２７２及び発光期間制御信号（Ｂ）２７３のアクティブである期間は、最も長い期間アクティブとなっている発光期間制御信号である発光期間制御信号（Ｒ）２７１がＬｏｗ（アクティブ）である期間の８０％以上となるように制御されている。したがって、本実施形態においては、低輝度モードにおいても、カラー・ブレイクやフリッカの現象を抑えることができる。
【００３４】
また、上述のように、高コントラストの低輝度モードを実現することにより、消費電力を抑えることができ、有機ＥＬ素子３１０の長寿命化を図ることができる。
【００３５】
図７は、上述の第１実施形態の第１の変形例であり、図６のタイミングチャートに対応するタイミングチャートを示す図である。このタイミングチャートでは、各発光期間制御信号２７１〜２７３のＬｏｗ（アクティブ）の期間の中央は、水平同期信号の中央に合わせられており、各発光期間制御信号２７１〜２７３のＬｏｗ（アクティブ）である期間の長さは、図６のタイミングチャートと同じである。また、発光制御信号２６２がＬｏｗ（アクティブ）である期間は、図６のタイミングチャートと同様に、最も長い期間アクティブとなっている発光期間制御信号（Ｒ）２７１と同期するように制御されている。
【００３６】
このようにした場合であっても、上述の実施形態と同様に、発光制御信号２６２を、アクティブである期間が最も長い発光期間制御信号（Ｒ）２７１に同期させているため、低輝度モード時の発光しない期間において流れる微小電流による発光を抑えることができ、高コントラスト化を図れると共に、電流消費を抑えることができる。
【００３７】
また、本変形例においても、発光期間制御信号（Ｇ）２７２及び発光期間制御信号（Ｂ）２７３のアクティブである期間は、最も長い期間アクティブとなっている発光期間制御信号である発光期間制御信号（Ｒ）２７１がＬｏｗ（アクティブ）である期間の８０％以上となるように制御されているため、カラー・ブレイクやフリッカの現象を抑えることができる。
【００３８】
更に、このような、高コントラストでカラー・ブレイクやフリッカの現象を抑えた低輝度モードを実現することにより、消費電力を抑えることができ、有機ＥＬ素子３１０の長寿命化を図ることができる。
【００３９】
図８は、上述の第１実施形態の第２の変形例であり、図６のタイミングチャートに対応するタイミングチャートを示す図である。このタイミングチャートでは、各発光期間制御信号２７１〜２７３のＬｏｗ（アクティブ）の期間は２分割され、分割された一方の期間は、水平同期信号の前端に合わせられて開始し、他方の期間は、水平同期信号の後端に合わせられて終了している。また、発光制御信号２６２がＬｏｗ（アクティブ）である期間は、図６のタイミングチャートと同様に、最も長い期間アクティブとなっている発光期間制御信号（Ｒ）２７１と同期するように制御されている。
【００４０】
このようにした場合であっても、上述の実施形態と同様に、発光制御信号２６２を、アクティブである期間が最も長い発光期間制御信号（Ｒ）２７１に同期させているため、低輝度モード時の発光しない期間において流れる微小電流による発光を抑えることができ、高コントラスト化を図れると共に、電流消費を抑えることができる。
【００４１】
また、本変形例においても、発光期間制御信号（Ｇ）２７２及び発光期間制御信号（Ｂ）２７３のアクティブである期間は、最も長い期間アクティブとなっている発光期間制御信号である発光期間制御信号（Ｒ）２７１がＬｏｗ（アクティブ）である期間の８０％以上となるように制御されているため、カラー・ブレイクやフリッカの現象を抑えることができる。
【００４２】
更に、このような、高コントラストでカラー・ブレイクやフリッカの現象を抑えた低輝度モードを実現することにより、消費電力を抑えることができ、有機ＥＬ素子３１０の長寿命化を図ることができる。
【００４３】
更に、この第２の変形例の場合には、発光期間が２分割されていることから、発光する周波数が高くなり、よりカラー・ブレイクやフリッカの現象を抑えることができる。
【００４４】
［第２実施形態］
図９には、本発明の第２の実施形態に係るＴＦＴ基板８００が概略的に示されている。ここで、このＴＦＴ基板８００が収容される有機ＥＬ表示装置は、図１に示された、第１実施形態の有機ＥＬ表示装置１００の構成と同様である。
【００４５】
ＴＦＴ基板８００は、マトリクス状に配置され、表示の最小単位であり、各々赤（Ｒ）、緑（Ｇ）及び青（Ｂ）の有機発光素子の画素電極を有する画素８８０と、表示する階調値に対応するデータ信号８５０を各画素８８０に出力するデータ信号駆動部８１０と、各画素８８０に複数配置されたＴＦＴスイッチ等を制御するための信号を出力するゲート駆動部８２０と、画素電極を発光させる矩形波の発光期間制御信号８７０を出力する発光期間制御信号駆動部８３０と、発光期間制御信号８７０及びデータ信号８５０のいずれを入力信号８５５とするかを、信号選択信号８２１により選択する第１選択スイッチ８２４及び第２選択スイッチ８２６と、を備えている。なお、第１実施形態の図２と同様に、この図においては、図が煩雑にならないよう画素８８０の数を減らし、簡略化して記載している。
【００４６】
図１０には、画素８８０に入力される信号の信号線が示されている。画素８８０は、それぞれ発光する色の有機発光素子を含む回路である有機発光回路（Ｒ）８８１、有機発光回路（Ｇ）８８２及び有機発光回路（Ｂ）８８３を有し、これらの回路には、ゲート駆動部８２０から出力されるゲート信号に含まれる発光制御信号８２２及びリセット信号８２３が入力されると共に、電源８４０が入力されている。
【００４７】
また、有機発光回路（Ｒ）８８１、有機発光回路（Ｇ）８８２及び有機発光回路（Ｂ）８８３には、それぞれ入力信号８５５に含まれる入力信号（Ｒ）８５１、入力信号（Ｇ）８５２及び入力信号（Ｂ）８５３が入力されている。これらの入力信号（Ｒ）８５１、入力信号（Ｇ）８５２及び入力信号（Ｂ）８５３には、選択信号の切り替えにより、データ信号８５０に含まれるデータ信号（Ｒ）８５１、データ信号（Ｇ）８５２及びデータ信号（Ｂ）８５３並びに発光期間制御信号８７０に含まれる発光期間制御信号（Ｒ）８７１、発光期間制御信号（Ｇ）８７２及び発光期間制御信号（Ｂ）８７３のいずれかがそれぞれ入力される。
【００４８】
図１１には、有機発光回路（Ｒ）８８１が概略的に示されている。この図に示されるように、有機発光回路（Ｒ）８８１は、自発光体である有機ＥＬ素子９１０と、有機ＥＬ素子９１０を駆動するスイッチとして機能し、有機ＥＬ素子９１０のアノード側が、後述する発光制御スイッチ９０８を介して、ドレイン側に接続されている有機ＥＬ駆動ＴＦＴ９０６と、有機ＥＬ駆動ＴＦＴ９０６のゲート側に配置された記憶容量９０１と、有機ＥＬ駆動ＴＦＴ９０６のドレイン側とゲート側とを結ぶように接続され、リセット信号８２３により駆動するリセットスイッチ９１４と、有機ＥＬ駆動ＴＦＴ９０６のドレイン側にあり、発光制御信号８２２により駆動する発光制御スイッチ９０８と、有機ＥＬ素子９１０のカソード側に接続された共通電極９１２と、を備えている。また、有機ＥＬ駆動ＴＦＴ９０６のソース側は電源線８４０に接続されている。
【００４９】
なお、有機ＥＬ駆動ＴＦＴ９０６、発光制御スイッチ９０８及びリセットスイッチ９１４はｐ型ＭＯＳにより形成されているため、ゲート信号はＬｏｗでオンとなる。
【００５０】
図１２には、図１１の有機ＥＬ素子９１０を発光させる際に、制御される信号の変化を示すタイミングチャートが示されている。第２実施形態では、第１実施形態のリセットスイッチ３１４と異なり、リセットスイッチ９１４がｐ型ＭＯＳで形成されているため、このタイミングチャートは、リセット信号８２３のＬｏｗとＨｉｇｈが逆に示されている。信号選択信号８２１についてもＬｏｗとＨｉｇｈが逆に示されている。この他の点について、図５で示される第１実施形態のタイミングチャートと同じであり、同様の動作であるため、説明を省略する。
【００５１】
図１３には、映像信号の一つである水平同期信号と共に、発光期間制御信号（Ｒ）８７１、発光期間制御信号（Ｇ）８７２及び発光期間制御信号（Ｂ）８７３及び発光制御信号８２２の変化の様子を示したタイミングチャートが示されている。このタイミングチャートでは、図８のタイミングチャートと同様に、各発光期間制御信号８７１〜８７３のＬｏｗ（アクティブ）の期間は２分割され、分割された一方の期間は、水平同期信号の前端に合わせられて開始し、他方の期間は、水平同期信号の後端に合わせられて終了している。また、発光制御信号８２２がＬｏｗ（アクティブ）である期間は、最も長い期間アクティブとなっている発光期間制御信号（Ｒ）８７１と同期するように制御されている。
【００５２】
このようにした場合であっても、第１実施形態と同様に、発光制御信号８２２を、アクティブである期間が最も長い発光期間制御信号（Ｒ）８７１に同期させているため、低輝度モード時の発光しない期間において流れる微小電流による発光を抑えることができ、高コントラスト化を図れると共に、電流消費を抑えることができる。
【００５３】
また、本実施形態においても、発光期間制御信号（Ｇ）８７２及び発光期間制御信号（Ｂ）８７３のアクティブである期間は、最も長い期間アクティブとなっている発光期間制御信号である発光期間制御信号（Ｒ）８７１がＬｏｗ（アクティブ）である期間の８０％以上となるように制御されているため、カラー・ブレイクやフリッカの現象を抑えることができる。
【００５４】
更に、このように低輝度モードであっても、高コントラストでカラー・ブレイクやフリッカの現象を抑えた低輝度モードを実現することにより、消費電力を抑えることができ、有機ＥＬ素子９１０の長寿命化を図ることができる。
【００５５】
また、更に、発光期間が２分割されていることから、発光する周波数が高くなり、よりカラー・ブレイクやフリッカの現象を抑えることができる。
【００５６】
なお、第１実施形態及び第２実施形態においては、発光期間制御信号をＲＧＢの３種類に分け、発光制御信号を１種類としたが、図１４に示されるように、発光制御信号についてもＲＧＢの３種類に分け、各発光期間制御信号がアクティブである期間に合わせて、各発光制御信号が同期して動作するようにしてもよい。
【００５７】
また、逆に、発光期間制御信号が１種類である場合であっても、図１５に示されるように、発光制御信号を、発光期間制御信号がアクティブである期間に合わせて、同期して動作させることにより、本発明を適用することができる。
【００５８】
また、第１実施形態の第２変形例及び第２実施形態においては、発光期間制御信号を２つの期間に分割することとしたが、３分割以上でもよい。
【００５９】
また、上述の第１実施形態及び第２実施形態においては、図２〜４及び図９〜１１のような回路を用いることとしたが、このような回路構成に限られず、発光期間制御電圧を用いて発光を行う自発光素子を用いた表示装置に適用することができる。
【００６０】
また、上述の第１実施形態及び第２実施形態において特に記載していないが、有機ＥＬ層に使用される発光材料は低分子であっても、高分子であってもよいし、有機ＥＬパネルの光の取り出し方向は、ボトムエミッション方式及びトップエミッション方式のいずれであってもよい。また、有機ＥＬ素子以外の自発光体を用いてもよい。
【符号の説明】
【００６１】
１００  有機ＥＬ表示装置、  １１０  上フレーム、１２０  下フレーム、１３０  フレキシブル基板、１４０  回路基板、２００，８００  ＴＦＴ基板、２１０，８１０  データ信号駆動部、２２０，８２０  ゲート駆動部、２３０，８３０  発光期間制御信号駆動部、２４０，８４０  電源線、２５０，８５０  データ信号、２５５，８５５  入力信号、２６１，８２１  信号選択信号、２６２，８２２  発光制御信号、２６３，８２３  リセット信号、２７０，８７０  発光期間制御信号、２８０，８８０  画素、２８１〜２８３，８８１〜８８３  有機発光回路、３０１，８２４  第１選択スイッチ、３０２，８２６  第２選択スイッチ、３０４，９０１  記憶容量、３０６，９０６  有機ＥＬ駆動ＴＦＴ、３０８，９０８  発光制御スイッチ、３１０，９１０  有機ＥＬ素子、３１４，９１４  リセットスイッチ。
【図１】
2011039453.tif 000003
【図２】
2011039453.tif 000004
【図３】
2011039453.tif 000005
【図４】
2011039453.tif 000006
【図５】
2011039453.tif 000007
【図６】
2011039453.tif 000008
【図７】
2011039453.tif 000009
【図８】
2011039453.tif 000010
【図９】
2011039453.tif 000011
【図１０】
2011039453.tif 000012
【図１１】
2011039453.tif 000013
【図１２】
2011039453.tif 000014
【図１３】
2011039453.tif 000015
【図１４】
2011039453.tif 000016
【図１５】
2011039453.tif 000017